(57)【要約】２本の接続リード（２７、２８）を持つ振動コイル（１５）を有するような電気音響トランスジューサ（１）が、各接続リード（２７、２８）に対して少なくとも１つの保持エレメント（３３、３４）を備えている。各保持エレメント（３３、３４）は、トランスジューサ（１）の静止部品（２）に接続されていると共に、該静止部品（２）に対して移動可能に保持されている。上記静止部品（２）は、接続リード（２７、２８）が通過される保持空間（３９、４０）の境界を形成している。
2005505982.tif 000002
【特許請求の範囲】
【請求項１】
静止部品を有する電気音響トランスジューサであって、前記静止部品のうちの１つの静止部品が薄膜を保持するための薄膜ホルダにより形成されるような電気音響トランスジューサにおいて、
磁石系を有し、
薄膜軸に対して平行に振動されるように設計されていると共に、前記薄膜ホルダに接続される薄膜領域を備えるような薄膜を有し、
前記磁石系と相互作用するように設計されていると共に、中空円柱状コイル本体及び２つの接続リードを備えるような振動コイルを有し、前記接続リードの各自由端は当該トランスジューサの静止接続接点に電気的且つ機械的に接続されており、
前記振動コイルの前記各接続リードに対して少なくとも１つの保持エレメントを有し、
前記各保持エレメントは当該トランスジューサの静止部品に接続されると共に該静止部品に対して移動可能に保持され、前記各保持エレメントは前記静止部品と共に、前記接続リードが通過される保持空間の境界を形成する、
ことを特徴とする電気音響トランスジューサ。
【請求項２】
請求項１に記載の電気音響トランスジューサにおいて、前記各保持エレメントが回動可能に取り付けられたレバーにより形成されることを特徴とする電気音響トランスジューサ。
【請求項３】
請求項２に記載の電気音響トランスジューサにおいて、前記保持エレメントとして設けられた前記各レバーが、かぎ状の形状を有していることを特徴とする電気音響トランスジューサ。
【請求項４】
請求項２に記載の電気音響トランスジューサにおいて、前記保持エレメントとして設けられた前記各レバーが、前記静止部品と一体的に実現されていることを特徴とする電気音響トランスジューサ。
【発明の詳細な説明】
【技術分野】
【０００１】
本発明は、静止部品を有する電気音響トランスジューサであって、これら部品のうちの１つの部品は薄膜を保持する薄膜ホルダにより形成され、上記トランスジューサは磁石系を有すると共に、上記薄膜ホルダに接続された薄膜領域を備えるような薄膜を有し、上記トランスジューサは上記磁石系と相互作用する振動コイルを有し、該振動コイルは中空の円柱状コイル本体と、各々が当該トランスジューサの静止接続接点に電気的及び機械的に接続される自由端を備えるような２つの接続リードとを有し、関連する接続リードに割り当てられた少なくとも１つの保持エレメントが各接続リードに対して設けられるような電気音響トランスジューサに関する。
【背景技術】
【０００２】
この型式の電気音響トランスジューサは国際特許出願公開第WO01/56329A2号から既知である。該既知のトランスジューサにおいては、各保持エレメントは、好ましくは、非硬化接着剤を有する接着層により一緒に保持される２つのプラスチックフィルムを有するものとし、かくして、当該薄膜の薄膜軸の方向と平行に弾性的に変形可能な保持エレメントが実現されている。該既知のトランスジューサにおいて、各保持エレメントはシート状又は条片状に設計され、一端において該既知のトランスジューサの静止部品、即ち薄膜ホルダに取り付けられ、当該接続リードは各保持エレメントの他端の領域に例えば接着結合により取り付けられている。該既知のトランスジューサの上述した実施例より満足のゆく結果が達成されるが、それにも拘わらず、この既知の実施例は依然として改善が可能である。何故なら、この既知の実施例の実現には、比較的高いコストを要するからである。というのは、接続リードと保持エレメントとの間の接着結合の実現には、別の製造段階が必要となるからである。更に、上記既知のトランスジューサの多くの適用例において、接続リードと保持エレメントとの間の各接着結合は、斯かる接続リードの動きの制限を呈し得ることがわかった。加えて、特に長い動作寿命の場合、接続リードと保持エレメントとの間の上記接着結合が、過度の加齢効果を受け、これが当該接着結合の損傷又は喪失となるというような問題が発生し得る。
【発明の開示】
【発明が解決しようとする課題】
【０００３】
本発明の目的は、上述した問題を防止すると共に、斯かる目的が僅かな費用で且つ簡素な手段により達成されるような更に改善された電気音響トランスジューサを作製することにある。
【課題を解決するための手段】
【０００４】
上述した目的を達成するため、本発明による電気音響トランスジューサには、本発明によるフィーチャが設けられ、かくして、本発明による電気音響トランスジューサは下記を特徴とするものとなる。
【０００５】
即ち、静止部品を有する電気音響トランスジューサであって、前記静止部品のうちの１つの静止部品が薄膜を保持するための薄膜ホルダにより形成され、磁石系を有し、薄膜軸に対して平行に振動されるように設計されていると共に前記薄膜ホルダに接続される薄膜領域を備えるような薄膜を有し、前記磁石系と相互作用するように設計されていると共に中空円柱状コイル本体及び２つの接続リードを備えるような振動コイルを有し、前記接続リードの各自由端は当該トランスジューサの静止接続接点に電気的且つ機械的に接続されており、前記振動コイルの前記各接続リードに対して少なくとも１つの保持エレメントを有し、前記各保持エレメントは当該トランスジューサの静止部品に接続されると共に該静止部品に対して移動可能に保持され、前記各保持エレメントは前記静止部品と共に接続リードが通過される保持空間の境界を形成するような電気音響トランスジューサである。
【０００６】
本発明による上記フィーチャを設けたことにより、比較的長い振動コイル接続リードの場合でも、一方における上記接続リードの可能な限り良好な保持と、他方における可能な限り制限されない接続リードの可動性との間の良好な妥協が達成されるような電気音響トランスジューサの構造的に単純で空間節約的な方法での、且つ、非常に少ない追加費用のみでの実現が可能になる。本発明によるトランスジューサにおいては、該トランスジューサの各保持エレメント及び該保持エレメントを支持する当該トランスジューサの静止部品は、接続リードのための保持空間を規定及び画成し、これにより、上記保持空間の寸法を、当該接続リードが一方においては積極接続（positive connection）で確実に保持され、他方においては当該接続リードに充分な移動自由度が付与され、その結果上記接続リードの移動性に対する悪い制限が生じないように選択することができる。また、本発明によるトランスジューサによれば、当該トランスジューサの製造の間における接続片と保持エレメントとの間の保持結合の形成が、当該接続リードを静止部品と保持エレメントとの間の保持空間へ導入することにより、接着結合を形成すること無しに、自動的に実行することができるという点で他の利点が得られる。
【０００７】
本発明による電気音響トランスジューサにおいては、上記各保持エレメントは当該トランスジューサの上記静止部品上の２つの位置の間で移動することが可能なスライドにより形成することができ、該スライドの上記２つの位置をスナップ結合部により設定することができるか、又は上記スライドがバネにより付勢されることが可能であり、該バネは上記スライドを、該スライドが接続リードを保持するために使用されるような動作位置に向かう方向に付勢する。しかしながら、上記各保持エレメントが回動可能に取り付けられたレバーにより形成されるのが有利であることがわかった。この構成は、最も簡単な実施例を達成する場合に非常に有利である。
【０００８】
上述した状況においては、保持エレメントとして設けられる上記各レバーがかぎ状である場合に特に有利であることがわかった。この構成は、接続リードの、かぎ状の保持エレメントによる格別に信頼性のある保持を保証する。
【０００９】
レバーとして設計された保持エレメントを備える本発明によるトランスジューサにおいては、保持エレメントとして設けられる各レバーが前記静止部品と一体的に実現される場合に特に有利であることがわかった。この目的は、特に簡単な構造の実施例に関して、及び製造の容易さに関して特に有利であることがわかった。
【００１０】
本発明の上述した態様及び他の態様は、下記の実施例から導出することができ、該実施例を参照して説明される。
【発明を実施するための最良の形態】
【００１１】
以下、本発明を図面に示す実施例を参照して説明するが、本発明は斯かる実施例に限定されるものではない。
【００１２】
図１ないし図４は電気音響トランスジューサ１の全て又は一部を示し、該電気音響トランスジューサは以下では短くトランスジューサ１と称す。トランスジューサ１は略鉢（ポット）状のハウジング２を有し、該ハウジングは略中空円柱状のハウジング内体３と、同様に略中空円柱状のハウジング外体４とを有している。該ハウジング外体には上記ハウジング内体３から遠い側の端部上に限界面５が設けられている。ハウジング内体３内には、円柱状の通路６が設けられている。ハウジング内体３及びハウジング外体４は、幾つかのバー７を介して互いに接続されている。
【００１３】
トランスジューサ１には磁石系８が設けられている。磁石系８は磁石９と、極板１０と、ポット１１とを有し、該ポットは、しばしば、外部ポットとも記載され、ポット底部１２と、中空円柱状のポット部分１３とを有している。該中空円柱状のポット部分１３は、上記ハウジング内体３内の通路６内に保持されている。
【００１４】
磁石系８においては、極板１０の周限界面と、中空円柱状ポット部分１３における上記極板１０に対面する端部領域との間にエアギャップ１４が形成されている。該エアギャップ１４は当該トランスジューサ１の振動コイル１５の一部を収容する。振動コイル１５は、磁石系８により、図２の双頭矢印により示される方向と略平行に振動される。該振動コイル５は、当該トランスジューサ１における薄膜１７に接続されている。図１及び４においては、薄膜１７の背後及び下における当該トランスジューサ１の部品を見えるようにするために該薄膜１７は図示されていない。
【００１５】
振動コイル１５を薄膜１７に接続するために、該薄膜１７には環状の接続領域１８が設けられている。振動コイル１５は該接続領域１８に接着結合１９により接続される。薄膜１７は、上記環状接続領域１８に加えて、該接続領域１８内に位置し且つ音響間隙２０に対して凸状に延びる内部領域２０と、上記接続領域１８の外側に位置する外部領域２１とを有している。ここで、上記外部領域２１は、音響間隙に対して凸状に延在すると共に接続領域１８から延びる第１外部領域部２２と、該第１外部領域部２２から延びると共に上記音響間隙に対して凸状に延在する第２外部領域部２３とを有している。該第２外部領域部２３は環状の平坦な薄膜領域２４となり、該領域が当該薄膜１７の縁領域２４を形成する。
【００１６】
上記縁領域２４は、薄膜１７を前記ハウジング外体４の限界面５の領域において当該トランスジューサ１のハウジング２に対して図では示さない接着結合により接続する。従って、当該トランスジューサ１上において、薄膜１７はハウジング２により、該ハウジング２が薄膜ホルダをも形成する如くに、保持される。
【００１７】
薄膜１７は薄膜軸２５に平行に振動されるように設計されるが、該軸は当該トランスジューサ１のトランスジューサ軸をも形成する。既述したように、薄膜１７を振動させることができるように、振動コイル１５が薄膜１７に接続されている。
【００１８】
振動コイル１５（磁石系８と相互作用するように設計され、この目的のために部分的に該磁石系８のエアギャップ１４内に配置されている）は、磁性線から巻回された中空円柱状のコイル本体２６を有している。更に、振動コイル１５は２つの接続リード２７及び２８を有している。これら２つの接続リード２７及び２８は、当該振動コイル１５が形成される上記磁性線の端部により形成されている。上記２つの接続リード２７及び２８の自由端２９及び３０は静止接続接点３１及び３２に各々接続されている。これら２つの接続接点３１及び３２は、各々、折曲された接点バネから形成されている。これら２つの接点バネはハウジング２上に保持されている。各自由端２９及び３０の当該静止接続接点３１及び３２への接続は、電気的及び機械的の両方の性質のものである。即ち、これらの接続は半田付け接続により形成される。
【００１９】
当該トランスジューサ１においては、有利にも、振動コイル１５の各接続リード２７及び２８に対して保持エレメント３３及び３４が設けられる。ここで、両保持エレメント３３及び３４は、当該トランスジューサ１のハウジング２に、即ち該トランスジューサ１の静止部品に対して接続される。この場合、この接続は、各保持エレメント３３又は３４がトランスジューサ１の上記静止部品と、即ち該トランスジューサ１のハウジング２と一体に形成されることにより実現される。
【００２０】
各保持エレメント３３又は３４はトランスジューサ１のハウジング２に対して調整可能に保持され、これは、この場合、各保持エレメント３３又は３４が旋回的に取り付けられたレバーにより形成され、保持エレメント３３又は３４として設けられた各レバーがかぎ型形状を有するという目的を達成する。保持エレメント３３又は３４として設けられる各レバーの旋回的取り付けのために、２つのベアリングスタッド３５及び３６又は３７及び３８が、図４における保持エレメント３４に関して明瞭に示されるように、各レバー３３又は３４の側部から突出している。これら２つのベアリングスタッド３５、３６又は３７、３８は、当該保持エレメント３３又は３４に対する旋回軸を規定する。
【００２１】
図３に特に明確に見られるように、各保持エレメント３３又は３４は、当該トランスジューサ１の上記静止部品、即ち該トランスジューサ１のハウジング２と共に、接続リード２７又は２８が通過される保持空間を画成する。図３において保持空間４０に関して見られるように、２つの保持空間３９及び４０の各々は、ハウジング２におけるハウジング外体４と、当該保持エレメント３３又は３４との間に位置する。
【００２２】
当該トランスジューサ１においては、有利にも、保持エレメント３３又は３４とハウジング外体４とにより形成される保持空間３９又は４０内の各接続リード２７又は２８が、一方においては積極接続（positive connection）で確実に保持されると共に、他方においては当該接続リード２７又は２８の運動性に悪影響を与えるような制限が存在しないことを保証するために前記薄膜軸２５の方向に平行に充分な自由度を有することが保証される。
【００２３】
トランスジューサ１の他の利点は、各接続リード２７及び２８を当該保持空間３９又は４０に簡単且つ、就中、機械作用的方法で導入することができるという事実、即ち上記２つの接続リード２７及び２８の各々は、当該保持エレメント３３又は３４上にハウジング外体４と当該保持エレメント３３又は３４との間において外側に向かって設けられた入口斜面４２に沿って押下され、その間において調整装置（図示略）が、当該接続リード２７又は２８が該リードのために設けられた保持空間３９又は４０に到達するまで、当該保持エレメント３３又は３４を該エレメントのかぎ状端部がハウジング外体４から離れるように回動（旋回）させ、その後、各保持エレメント３３又は３４は上記調整装置により釈放されて自動的に自身の元の位置に復帰し、該位置において当該エレメントは上記かぎ状端部により上記ハウジング外体４上にぴたりと着座し、かくして、当該保持空間３９又は４０内に収容された接続リード２７又は２８が確実に保持されることを保証するという事実に存在する。上述したトランスジューサ１においては、２つの保持エレメント３３及び３４は該トランスジューサ１のハウジング２に接続されている。また、保持エレメントはトランスジューサの他の静止部品（例えば、前記磁石系の静止部品、例えば上述したトランスジューサ１に設けられたもののような磁石系における外部ポット）に接続することもできる。
【００２４】
上述したトランスジューサ１においては、２つの保持エレメント３３及び３４は該トランスジューサ１のハウジング２に一体的に接続されている。しかしながら、斯様な保持エレメント３３及び３４は、代わりに、ハウジング２に対して別個の部品により形成することもでき、これら部品はハウジング２に対して、これら別の部品により形成された保持エレメント３３及び３４のベアリングスタッド３５及び３６又は３７及び３８が当該ハウジング２内に設けられた収容室で使用されると共に斯かる収容室内に締まり嵌めにより保持されることにより接続される。
【００２５】
また、もし必要であり且つ有効ならば、各接続リード２７又は２８に対して２又は３又はそれ以上の保持エレメントを設けることもできる。
【００２６】
しかしながら、レバー型式の保持エレメントは必ずしもかぎ状の設計のものである必要はなく、かぎ状の折曲は備えず、くさび状に傾斜がつけられた保持空間を規定する当該トランスジューサの静止部品と共に真っ直ぐに延在してもよい。
【００２７】
回動レバー設計を有する代わりに、保持エレメントはスライドキャリッジ構造を有してもよい。
【図面の簡単な説明】
【００２８】
【図１】図１は、本発明の一実施例による電気音響トランスジューサの拡大平面図である。
【図２】図２は、図１のトランスジューサを、図１のII−II線に沿う断面図で示す。
【図３】図３は、図１及び図２のトランスジューサの詳細を、図２の円IIIに関して該図２より拡大された寸法で示す。
【図４】図４は、図３に示す図１及び図２のトランスジューサの詳細を上からの斜視図で示す。
【国際公開パンフレット】
2005505982.tif 000003
2005505982.tif 000004
2005505982.tif 000005
2005505982.tif 000006
2005505982.tif 000007
2005505982.tif 000008
2005505982.tif 000009
2005505982.tif 000010
2005505982.tif 000011
2005505982.tif 000012
2005505982.tif 000013
【国際公開パンフレット（コレクトバージョン）】
2005505982.tif 000014
【国際調査報告】
2005505982.tif 000015
2005505982.tif 000016